(57)【特許請求の範囲】
【請求項１】
カラー映像信号を輝度信号と共に構成する２種類の色差信号を補正する色差信号補正装置において、
前記２種類の色差信号の一方を第１の軸とし、他方を前記第１の軸に直交する第２の軸とする直交色空間上で、前記カラー映像信号の１フレームの画像の予め定めた規定領域内に存在する画素が持つ補正対象の前記２種類の色差信号の頻度分布を求める色差頻度分布検出手段と、
前記色差信号の頻度分布の疎密の比率から、相対的に頻度の集中している密領域と、頻度が少ない疎領域とを特定し、前記直交色空間上の前記密領域の中心点と前記疎領域の中心点のそれぞれについて、前記直交色空間の原点からの距離で定まる彩度を求めると共に、前記第１の軸となす角度から色相を求める疎密領域検出手段と、
前記色差頻度分布検出手段に入力される補正対象の前記２種類の色差信号のうち、前記直交色空間上の前記密領域の中心点の色相を示す角度を中心角とする、予め定めた角度範囲の第１の補正領域内の２種類の色差信号に対して、非線形処理を施す第１の補正手段と、
前記色差頻度分布検出手段に入力される補正対象の前記２種類の色差信号のうち、前記直交色空間上の前記疎領域の中心点の色相を示す角度を中心角とする、予め定めた角度範囲の第２の補正領域内の２種類の色差信号に対して、非線形処理を施す第２の補正手段と、
前記第１の補正手段から出力される前記２種類の色差信号と前記第２の補正手段から出力される前記２種類の色差信号との平均値を、同じ種類の色差信号の間で画素単位で求めて補正色差信号として出力する平均値処理手段と
を具備することを特徴とする色差信号補正装置。
【請求項２】
カラー映像信号を輝度信号と共に構成する２種類の色差信号を補正する色差信号補正装置において、
前記２種類の色差信号の一方を第１の軸とし、他方を前記第１の軸に直交する第２の軸とする直交色空間上で、前記カラー映像信号の１フレームの画像の予め定めた規定領域内に存在する画素が持つ補正対象の前記２種類の色差信号の頻度分布を求める色差頻度分布検出手段と、
前記色差信号の頻度分布の疎密の比率から、相対的に頻度の集中している密領域と、頻度が少ない疎領域とを特定し、前記直交色空間上の前記密領域の中心点と前記疎領域の中心点のそれぞれについて、前記直交色空間の原点からの距離で定まる彩度を求めると共に、前記第１の軸となす角度から色相を求める疎密領域検出手段と、
前記色差頻度分布検出手段に入力される補正対象の前記２種類の色差信号のうち、前記直交色空間上の前記密領域の中心点の色相を示す角度を中心角とする、予め定めた角度範囲の第１の補正領域内の極座標で表される２種類の色差信号に対して、該第１の補正領域の中心角から遠ざかる方向に角度の非線形処理を施す第１の補正手段と、
前記色差頻度分布検出手段に入力される補正対象の前記２種類の色差信号のうち、前記直交色空間上の前記疎領域の中心点の色相を示す角度を中心角とする、予め定めた角度範囲の第２の補正領域内の極座標で表される２種類の色差信号に対して、該第２の補正領域の中心角に近づく方向に、かつ、原点からの距離が大きくなる方向に非線形処理を施す第２の補正手段と、
前記第１の補正手段から出力される前記２種類の色差信号と前記第２の補正手段から出力される前記２種類の色差信号との平均値を、同じ種類の色差信号の間で画素単位で求めて補正色差信号として出力する平均値処理手段と
を具備することを特徴とする色差信号補正装置。
【発明の詳細な説明】
【技術分野】
【０００１】
本発明は色差信号補正装置に係り、特にカラー映像信号を輝度信号と共に構成する２種類の色差信号を補正する色差信号補正装置に関する。
【背景技術】
【０００２】
従来より、テレビジョン受像機では、表示デバイスの持つ光の３原色の色度点に合わせて、表示するカラー映像信号を補正することで、表示デバイスの方式の違いや性能の違いに対応する色再現処理が行われている。
【０００３】
また、忠実な色再現処理とは別に心理的に美しくみせるためのカラーマネージメントも積極的に行われている。これは、記憶色に基づく色補正処理のことである。記憶色とは過去の経験から対象物のあるべき色や本当らしく満足できる色として認識されることであり、実物の色とは必ずしも一致せず、個人差のあるイメージ的要素である。記憶色は、肌色に対して特に敏感であるといわれる（例えば、非特許文献１参照）。また、肌色領域に対して色補正処理を行う装置が従来開示されている（例えば、特許文献１参照）。
【０００４】
また、伝送系や表示デバイスなど様々な制約から忠実な色再現が困難なテレビジョン受信機では、画像を鑑賞する観察者の満足度を向上させるカラーマネージメントは重要な機能となっている。これら補正処理においては、信号の扱い易さの点から輝度、色相、彩度のパラメータ（Ｙ，Ｒ−Ｙ，Ｂ−Ｙ）を利用することが多く、これらのパラメータを用いた補正処理装置が従来開示されている（例えば、特許文献２参照）。
【０００５】
ところで、特定のパターンに対しては効果的なカラーマネージメントであっても、別のパターンに対しては不自然な効果を生じることがある。例えば、小さな緑色の木の芽を美しく見せるために緑色の彩度を上げると、大面積の芝生の緑が人工的な色に感じられてしまうなどの問題が発生する。
【０００６】
上記問題は、色彩心理における色の面積効果や対比現象（面積対比、色相対比、明度対比、彩度対比など）と密接に関係している。色の面積効果とは、着色面積の大小により色に対する印象が異なることを指し、面積が大きくなるにつれ、明るい色はより輝度と彩度を高く感じ、逆に暗い色ではより低く感じる現象である。また、対比現象は周辺の面積や色、輝度との関係から色に対する印象が異なる現象を指す（例えば、非特許文献２参照）。これらの複合効果により、カラーマネージメントが不自然な印象を与える方向へ作用する現象が発生する。
【０００７】
【非特許文献１】テレビジョン学会編、「テレビジョン・画像情報工学ハンドブック」、株式会社オーム社、１９９０年（ＩＳＢＮ４−２７４−０３３０１−５）、２７〜２８頁
【非特許文献２】日本色彩学界編、「新編  色彩科学ハンドブック（第２版）」、東京大学出版会、２００１年（ＩＳＢＮ４−１３−０６１１１２−７）、１３８５頁
【特許文献１】特開平４−５７５８４号公報
【特許文献２】特許第３６２０５２９号公報
【発明の開示】
【発明が解決しようとする課題】
【０００８】
しかし、従来の特許文献１、２に記載のカラーマネージメントにおける方法では、画像の輝度や色の分布などの内容に関係なく調整値が固定されていたり、補正機能は提供されていても機能を制御する調整値の決定手段が提供されていないか、または提供されていても画面全体から判断するのではなく、画素単独の値から調整値を決定していたために、上記の特定のパターンに対しては効果的なカラーマネージメントであっても、別のパターンに対しては不自然な効果を生じるという、問題が発生している。
【０００９】
本発明は、以上の点に鑑みてなされたもので、カラーマネージメントに起因する極端に色が濃くなる現象や色の階調が少なくなる現象など不自然な印象を与える色の発生を防止し得る色差信号補正装置を提供することを目的とする。
【課題を解決するための手段】
【００１０】
上記の目的を達成するため、第１の発明は、カラー映像信号を輝度信号と共に構成する２種類の色差信号を補正する色差信号補正装置において、２種類の色差信号の一方を第１の軸とし、他方を第１の軸に直交する第２の軸とする直交色空間上で、カラー映像信号の１フレームの画像の予め定めた規定領域内に存在する画素が持つ補正対象の２種類の色差信号の頻度分布を求める色差頻度分布検出手段と、色差信号の頻度分布の疎密の比率から、相対的に頻度の集中している密領域と、頻度が少ない疎領域とを特定し、直交色空間上の密領域の中心点と疎領域の中心点のそれぞれについて、直交色空間の原点からの距離で定まる彩度を求めると共に、第１の軸となす角度から色相を求める疎密領域検出手段と、色差頻度分布検出手段に入力される補正対象の２種類の色差信号のうち、直交色空間上の密領域の中心点の色相を示す角度を中心角とする、予め定めた角度範囲の第１の補正領域内の２種類の色差信号に対して、非線形処理を施す第１の補正手段と、色差頻度分布検出手段に入力される補正対象の２種類の色差信号のうち、直交色空間上の疎領域の中心点の色相を示す角度を中心角とする、予め定めた角度範囲の第２の補正領域内の２種類の色差信号に対して、非線形処理を施す第２の補正手段と、第１の補正手段から出力される２種類の色差信号と第２の補正手段から出力される２種類の色差信号との平均値を、同じ種類の色差信号の間で画素単位で求めて補正色差信号として出力する平均値処理手段とを具備することを特徴とする。
【００１１】
この発明では、色差信号の頻度分布の疎密の比率から、相対的に頻度の集中している密領域と、頻度が少ない疎領域とを特定し、直交色空間上で密領域の中心点の色相を示す角度を中心角とする第１の補正領域と、疎領域の中心点の色相を示す角度を中心角とする第２の補正領域において、互いに独立して２種類の色差信号に対して所定の非線形処理を行うようにしたため、輝度や色の分布によって印象が大きく左右される記憶色に対して、頻度分布の多い密領域、すなわち面積の大きい色と、頻度の少ない領域すなわち面積の小さな色とで異なる補正処理を行うことができる。
【００１２】
また、上記の目的を達成するため、第２の発明は上記の第１の発明における第１の補正手段を、色差頻度分布検出手段に入力される補正対象の２種類の色差信号のうち、直交色空間上の密領域の中心点の色相を示す角度を中心角とする、予め定めた角度範囲の第１の補正領域内の極座標で表される２種類の色差信号に対して、第１の補正領域の中心角から遠ざかる方向に角度の非線形処理を施す手段とし、また、第２の補正手段を、色差頻度分布検出手段に入力される補正対象の２種類の色差信号のうち、直交色空間上の疎領域の中心点の色相を示す角度を中心角とする、予め定めた角度範囲の第２の補正領域内の極座標で表される２種類の色差信号に対して、第２の補正領域の中心角に近づく方向に、かつ、原点からの距離が大きくなる方向に非線形処理を施す手段とした点に特徴がある。
【００１３】
この発明では、頻度分布の多い密領域、すなわち面積の大きい色の部分では彩度を高く感じると共に色の純度に敏感となるので、色彩数の豊富な印象を与える補正処理ができ、一方、頻度分布の少ない疎領域、すなわち、面積の小さい色の部分では彩度を低く感じると共に、色の純度に鈍感となるため、彩度を高め、鮮やかな色彩の印象を与える補正処理ができる。
【００１４】
なお、本発明による色差信号の補正方法は、本発明者が実験により定性的に求めたものである。
【発明の効果】
【００１５】
本発明によれば、輝度や色の分布によって印象が大きく左右される記憶色に対して、頻度分布の多い密領域、すなわち面積の大きい色と、頻度の少ない疎領域、すなわち面積の小さな色とで異なる補正処理（非線形処理）を行うようにしたため、面積効果を考慮した色差空間の補正が可能となり、カラーマネージメントに起因する極端に色が濃くなる現象や、色の階調が少なくなる現象など不自然な印象を与える色の発生を防止することができる。従って、本発明によれば、信号帯域の制限や表示デバイスの性能などを補うために色差信号を補正することが必要不可欠なテレビジョン受像機等に適用して極めて効果的である。
【発明を実施するための最良の形態】
【００１６】
次に、本発明の実施の形態について図面と共に説明する。図１は本発明になる色信号補正装置の一実施の形態のブロック図を示す。同図に示すように、本実施の形態の色信号補正装置は、入力端子１００から補正前の２種類の色差信号（Ｒ−Ｙ，Ｂ−Ｙ）が入力され、１フレーム分ずつ蓄積するフレームメモリ１０１と、その１フレーム分のデータのうち規定領域内にある空間上での分布密度を検出する色差分布密度検出器１０２と、その色差分布密度の密領域と疎領域を特定する疎密領域検出器１０３と、特定された密領域の色相と彩度の極座標情報から、非線形処理するＲ−ＹとＢ−Ｙとによって構成される２次元空間上の第１の補正領域を求める密領域補正器１０４と、特定された疎領域の色相と彩度の極座標情報から、非線形処理するＲ−ＹとＢ−Ｙとによって構成される２次元空間上の第２の補正領域を求める疎領域補正器１０５と、密領域補正器１０４と疎領域補正器１０５からそれぞれ出力されるＲ−ＹとＢ−Ｙのデータ値の平均値を求めて、出力端子１０７から補正後の２つの色差信号として出力する平均値処理器１０６とから構成される。
【００１７】
次に、本実施の形態の動作について、図２〜図６を併せ参照して説明する。入力端子１００から入力された補正前の２種類の色差信号（Ｒ−Ｙ）及び（Ｂ−Ｙ）は、フレームメモリ１０１に１フレーム分のデータが蓄積された後、その１フレーム分のデータが読み出されて色差分布密度検出器１０２に供給され、ここで色差信号（Ｒ−Ｙ）及び（Ｂ−Ｙ）の一方を第１の軸とし、他方を第１の軸に直交する第２の軸とする直交色空間を構成し、１フレームの画像の規定領域内に存在する画素の密度分布が求められる（図２のステップＳ２０１）。
【００１８】
ここで、規定領域とは、図３の画面３００をフレームメモリに蓄積されている１フレーム分の画像領域としたときに、撮影したカメラや伝送フォーマットの制限から周辺の領域に無効なデータが含まれていることがあるため、実際の画面領域よりも僅かに小さく設定された破線で示す領域３０１のことである。規定領域３０１内に存在する画素のデータは有効データとして装置で利用される。
【００１９】
次に、図１の色差分布密度検出器１０２での処理について説明する。色差信号（Ｒ−Ｙ）及び（Ｂ−Ｙ）の一方を第１の軸とし、他方を第１の軸に直交する第２の軸とする直交色空間でそれぞれの軸を１６等分に区切る。この結果、直交色空間は２５６個の升目で区切られることになる。フレームメモリ１０１から読み出された画素毎のデータは、規定領域内のデータ全てについてどの升目に属するかが求められ、升目毎に属する画素数をカウントして２次元のヒストグラムを作成する。この２次元のヒストグラムの一例を図４に示す。
【００２０】
色差信号（Ｒ−Ｙ）及び（Ｂ−Ｙ）は、それぞれ正負の値をとる符号付データであるので、図４に示すように、原点は中央にあり高さ方向が各升目に属する画素数を表わしている。ただし、図４は各線分の交点が各ブロックの度数を表しているので、この図では交点が２５６個ある。以上で色差分布密度検出器１０２での処理が終了する。なお、本実施の形態では各軸を１６等分する方法で説明したが、分割数や分割間隔などは様々な形態が考えられ分割方法を限定するものではない。
【００２１】
次に、図２のステップＳ２０１で求められた密度分布から、密度の集中している密領域と集中の少ない疎領域を特定し、その特定した密領域と疎領域の各中心点の色相と彩度を求める（図２のステップＳ２０２）。ここで、疎領域とは、データは存在するが密度の少ない領域のことであり、データの存在しない領域は除外する。なぜならば、データの存在しない領域に補正を加えても意味がないからである。
【００２２】
図２のステップＳ２０２に対応して、図１の疎密領域検出器１０３は、色差分布密度検出器１０２から入力されるヒストグラムデータから密領域と疎領域を特定し、それぞれの中心点の色相と彩度を求める。すなわち、疎密領域検出器１０３では、はじめに２次元ヒストグラムの分布を基に２次元空間を領域分割する。領域分割の方法としては既知の様々な方法が利用可能であるが、本実施の形態ではｋ−ｍｅａｎｓ法を利用する。ｋ−ｍｅａｎｓ法の詳細については公知文献（河口至商著、「多変量解析入門II」（ＩＳＢＮ４−６２７−００４６０−５）の４１〜４３頁）に記載されており、また本発明の要旨ではないのでその詳細な説明は省略する。
【００２３】
本実施の形態の場合には、２次元のヒストグラムを求めるために作成した各軸を１６等分した２５６個の点が各サンプルの取り得る範囲であり、ヒストグラムの度数が個体数に対応する。一例として、図５の概念図で示すように分布５００、５０１、５０２が求められる。ここで、ｋ−ｍｅａｎｓ法により求められた平均が中心点であり、各中心点間の距離の１／２が領域となる。この領域内に含まれるデータ数の大小が疎密に対応することになる。
【００２４】
図５では、（密）領域５００＞領域５０１＞領域５０２（疎）の順番になる。従って、密領域として領域５００が、疎領域として領域５０２が求められる。さらに、図６の中心点６００を図５の密領域５００の中心点とするとき、中心点６００と軸Ｂ−Ｙとのなす角６０２を密領域の色相とし、原点からの距離６０１を密領域の彩度として求める。また、図６の中心点６０３を図５の疎領域５０２の中心点とするとき、中心点６０３と軸Ｂ−Ｙとのなす角６０５を疎領域の色相とし、原点からの距離６０４を疎領域の彩度として求める。それぞれ求められた色相と彩度が図１の疎密領域検出器１０３から出力される。
【００２５】
次に、図１の密領域補正器１０４で密領域の色相を非線形処理する（図２のステップＳ２０３）。すなわち、図１の密領域補正器１０４は、疎密領域検出器１０３から出力される密領域の色相（角度）と彩度（原点距離）の極座標情報から、非線形処理する色差信号Ｒ−ＹとＢ−Ｙとによって構成される２次元色空間上の第１の補正領域を求める。この第１の補正領域は、２次元色空間上で密領域の中心点の色相を示す角度を中心角とする予め定めた角度範囲の領域である。
【００２６】
密領域補正器１０４は、フレームメモリ１０１にも接続されており、色差信号Ｒ−ＹとＢ−Ｙのデータが順次入力される。密領域補正器１０４は、順次入力される色差信号Ｒ−ＹとＢ−Ｙのデータが、前記第１の補正領域内のデータであれば予め定めた所定の非線形処理をして出力し、入力されたデータが前記第１の補正領域外のデータであれば、何も処理することなくそのまま出力する。
【００２７】
ステップＳ２０３の処理と同時に、図１の疎領域補正器１０５で疎領域の色相を非線形処理する（図２のステップＳ２０４）。すなわち、図１の疎領域補正器１０５は、疎密領域検出器１０３から出力される疎領域の色相（角度）と彩度（原点距離）の極座標情報から、非線形処理する色差信号Ｒ−ＹとＢ−Ｙとによって構成される２次元色空間上の第２の補正領域を求める。この第２の補正領域は、２次元色空間上で疎領域の中心点の色相を示す角度を中心角とする予め定めた角度範囲の領域である。
【００２８】
疎領域補正器１０５は、フレームメモリ１０１にも接続されており、色差信号Ｒ−ＹとＢ−Ｙのデータが順次入力される。疎領域補正器１０５は、順次入力される色差信号Ｒ−ＹとＢ−Ｙのデータが前記第２の補正領域内のデータであれば、予め定めた所定の非線形処理をして出力し、入力されたデータが前記第２の補正領域外のデータであれば、何も処理することなくそのまま出力する。
【００２９】
最後に、図１の平均値処理器１０６により密領域補正器１０４と疎領域補正器１０５からそれぞれ出力される色差信号Ｒ−ＹとＢ−Ｙのデータ値の平均値を、同じ種類の色差信号の間で、対応する画素単位で求めて、出力端子１０７から補正後の色差信号Ｒ−Ｙ、Ｂ−Ｙとして出力する（図２のステップＳ２０５）。
【００３０】
このように、本実施の形態によれば、輝度や色の分布によって印象が大きく左右される記憶色に対して、頻度分布の多い密領域、すなわち面積の大きい色と、頻度の少ない疎領域、すなわち面積の小さな色とで異なる補正処理（非線形処理）を行うようにしたため、面積効果を考慮した色差空間の補正が可能となり、カラーマネージメントに起因する極端に色が濃くなる現象や、色の階調が少なくなる現象など不自然な印象を与える色の発生を防止することが可能となる。
【００３１】
なお、本実施の形態では、２次元色空間において３つの領域の中から密領域と疎領域をそれぞれ一箇所としたが、実際の自然画像では更に多くの領域に分割されることが多く、密度の高い領域の上位数箇所を密領域とし、密度の低い領域の下位数箇所を疎領域としてそれぞれ複数個設定し、それぞれから求められた補正データの平均値を最終補正データとして出力する構成も容易に考えられる。また、輝度信号と色差信号からＲ（赤）、Ｇ（緑）、Ｂ（青）の三原色信号に変換した際の飽和を考慮して輝度信号を調整することも考えられる。
【００３２】
次に、本発明の第２の実施の形態について説明する。本実施の形態の色差信号補正装置は、図１の密領域補正器１０４と疎領域補正器１０５の内部での処理方法が第１の実施の形態と異なるだけで、ブロック図は図１と同様となるため説明を省略し、本実施の形態特有の動作について図７〜図９を併せ参照して説明する。
【００３３】
図７は本発明になる色差信号補正装置の第２の実施の形態の動作説明用フローチャートを示す。同図中、図２と同じ処理ステップには同じ符号を付し、その説明を省略する。図７において、ステップＳ２０２に続いて、ステップＳ７０３ではステップＳ２０２で求められた密領域の中心点を表す色相（角度）と彩度（原点距離）で構成される極座標上で、中心点の色相を中心に色相の拡大を行う。ここで、色相の拡大を図８を用いて説明する。
【００３４】
図８の中心点６００は、図６の密領域の中心点６００と同一であり、破線で示される補正領域境界線８００と補正領域境界線８０１に挟まれる角度の近傍領域を補正領域として定義する。図１の密領域補正器１０４は、この近傍領域外のデータが図１のフレームメモリ１０１から入力された場合には、何も処理をせずにそのまま出力する。また、密領域補正器１０４は、近傍領域内のデータが入力された場合は、中心点６００から遠ざかる方向８０２又は方向８０３へ極座標の角度を補正した色差信号Ｒ−ＹとＢ−Ｙを出力する。
【００３５】
すなわち、面積効果によれば、面積の大きい部分では彩度を高く感じると共に色の純度に敏感となる。従って、面積が大きいと見做すことのできる図８の密領域の中心点６００の近傍では、中心点６００から遠ざかる方向へ色相を制御することにより、色彩数の豊富な印象を与えることが可能となる。
【００３６】
一方、上記の密領域補正器１０４による処理と同時に、ステップＳ２０２で求められた疎領域の中心点を表す色相（角度）と彩度（原点距離）とで構成される極座標上で、疎領域の中心点の色相を中心に色相の圧縮と高彩度化の操作を行う（図７のステップＳ７０４）。
【００３７】
ここで、色相の圧縮と高彩度化を図９を用いて説明する。図９の中心点６０３は、図６の疎領域の中心点６０３と同一であり、破線で示される補正領域境界線９００と補正領域境界線９０１に挟まれる角度の近傍領域を補正領域として定義する。疎領域補正処理器１０５は、この近傍領域外のデータが図１のフレームメモリ１０１から入力された場合には、何も処理をせずにそのまま出力する。
【００３８】
また、疎領域補正処理器１０５は、近傍領域内のデータがフレームメモリ１０１から入力された場合には、中心点６０３に近付く方向９０２、又は方向９０３へ極座標の角度を補正すると共に、方向９０４へ極座標の原点距離を遠ざける処理を施した色差信号Ｒ−ＹとＢ−Ｙを出力する。
【００３９】
すなわち、面積の小さい部分では彩度を低く感じると共に、色の純度に鈍感となる。このため、面積が小さいと見做すことのできる図９の疎領域の中心点６０３の近傍では、中心点６０３に近付ける方向９０２又は９０３へ色相を制御すると共に、原点から方向９０４へ遠ざけることにより、彩度を高め、鮮やかな色彩の印象を与えることが可能となる。
【００４０】
なお、以上の説明における極座標処理の詳細は、本出願人による特許第３６２０５２９号公報で開示されているので省略する。
【００４１】
次に、図７のステップＳ７０３及びステップ７０４により補正された色差信号は、前述のステップＳ２０３により、平均値処理器１０６で平均値を求められ補正後の色差信号として出力される。
【００４２】
このように、本実施の形態も、輝度や色の分布によって印象が大きく左右される記憶色に対して、頻度分布の多い密領域、すなわち面積の大きい色と、頻度の少ない疎領域、すなわち面積の小さな色とで異なる補正処理（非線形処理）を行うようにしたため、面積効果を考慮した色差空間の補正が可能となり、カラーマネージメントに起因する極端に色が濃くなる現象や、色の階調が少なくなる現象など不自然な印象を与える色の発生を防止することが可能となる。
【００４３】
なお、本発明は以上の実施の形態に限定されるものではなく、例えば、図２又は図７のフローチャートに従ってその各ステップを順次にコンピュータに実行させる色差信号補正用のプログラムも含むものである。上記の色差信号補正用プログラムは、記録媒体から再生されてコンピュータに取り込まれてもよいし、通信ネットワークを介して配信されてコンピュータに取り込まれるようにしてもよい。
【図面の簡単な説明】
【００４４】
【図１】本発明の色差信号補正装置の一実施の形態のブロック図である。
【図２】本発明装置の第１の実施の形態の動作説明用フローチャートである。
【図３】画面の有効領域を説明する図である。
【図４】２次元のヒストグラムの一例を説明する図である。
【図５】密度分布の一例を説明する図である。
【図６】図２における疎領域、密領域の各色相と彩度の検出動作について、２次元色空間の極座標表現で説明する図である。
【図７】本発明装置の第２の実施の形態の動作説明用フローチャートである。
【図８】図７の密領域の非線形処理を説明する図である。
【図９】図７の疎領域の非線形処理を説明する図である。
【符号の説明】
【００４５】
１００  入力端子
１０１  フレームメモリ
１０２  色差分布密度検出器
１０３  疎密領域検出器
１０４  密領域補正器
１０５  疎領域補正器
１０６  平均値処理器
１０７  出力端子
５００，５０１，５０２  色差分布領域
６００  密領域中心点
６０３  疎領域中心点
６０１，６０４  原点距離
６０２，６０５  極座標角
８００，８０１  補正領域境界線
８０２，８０３  補正方向角
９００，９０１  補正領域境界線
９０２，９０３  補正方向角
９０３  補正方向原点距離
【図１】
0004715545.tif 000002
【図２】
0004715545.tif 000003
【図３】
0004715545.tif 000004
【図４】
0004715545.tif 000005
【図５】
0004715545.tif 000006
【図６】
0004715545.tif 000007
【図７】
0004715545.tif 000008
【図８】
0004715545.tif 000009
【図９】
0004715545.tif 000010